(57)【要約】      （修正有）【課題】綿棒を取り出す場合、隣接する綿棒の綿部に指が触れないように、且つ蓋の開閉作業無しに片手で衛生的に最後の１本まで１本ずつ取り出せるようにする。【解決手段】四角柱の箱型収納箱の中に、斜め対角の仕切り板で内部を三角柱の前後の収納部に分けた構造の綿棒収納取り出し箱とし、各収納部の取り出し口は三角柱の端の地面方向に最低１箇所以上ある構造で、取り出し口は綿棒が自然に出てこない構造で棒部分をつまんで取り出すため、隣接する綿棒の綿部に指が触れない。取り出し口の構造はフィルム等の素材で横に切り込みのあるストッパーが左右にあるか、又は綿部分が自然に出てこない高さの構造になっている。更に、つまんで取り出すと重力で綿棒が下に自動的に落ちてくるため、最後の１本まで片手で取り出すことができる。前収納部の綿棒が空になった場合は、収納箱を逆さまにして前収納部と同様に後収納部から綿棒を取り出す。【選択図】図７
2019055815.tif 000002
【特許請求の範囲】
【請求項１】
四角柱の箱型容器の中に、斜め対角の仕切り板によって、内部を三角柱の前収納部、後収納部の２つに分けた構造の綿棒収納取り出し箱で、且つ、各収納部の取り出し口は三角柱の端の地面方向にある綿棒収納取り出し箱。
【請求項２】
四角柱の箱型容器の中に、斜め対角の仕切り板によって、内部を三角柱の前収納部、後収納部の２つに分けた構造の綿棒収納取り出し箱で、且つ、各収納部の取り出し口は三角柱の端の地面方向にあり、且つ、取り出し口には横に切り込みのあるストッパー付き出口、又は綿棒が自然に出てこない高さの出口が左右にあり、中央のつまみ口より１本づつ綿棒の棒をつまんで取り出す綿棒収納取り出し箱。
【発明の詳細な説明】
【技術分野】
【０００１】
本発明は、綿棒の収納取り出し箱の形状、及び構造に関する。
【背景技術】
【０００２】
従来は、綿棒がまとめて入った収納容器から１本の綿棒を取り出す際には、隣接する綿棒にも指が触れてしまう場合が多い。
【発明の概要】
【発明が解決しようとする課題】
【０００３】
綿棒がまとめて入った収納容器から１本の綿棒を取り出す場合、隣接する綿棒の綿部に指が触れないように衛生的に１本づつ取り出せるようにする。
【課題を解決するための手段】
【０００４】
本発明は、四角柱の箱型収納箱の中に、斜め対角の仕切り板で内部を三角柱の前収納部、後収納部の２つに分けた構造の綿棒収納取り出し箱で、各収納部の取り出し口は三角柱の端の地面方向にある構造で、取り出し口は横に切り込みのあるストッパーが左右にあり中央のつまみ口より１本づつ綿棒の棒部分をつまんで取り出すか、又は取り出し口の高さが綿棒が自然に出てこない高さの取り出し口からつまんで取り出す。つまんで取り出すした空間には上部より重力で綿棒が自動的に下に下がってきて、次の綿棒を取り出せるようになる。前収納部の綿棒が空になった場合は、収納箱を逆さまにして前収納部と同様に後収納部から綿棒を取り出す。
【発明の効果】
【０００５】
綿棒の棒部分を持って取り出すので綿部を衛生的に保管できる。
また、例えば本発明品を両面テープ等で固定すれば、蓋を開け閉めする作業無しに完全に片手で取り出すことが可能となる。
また、蓋が開けっ放しになることも無くなる。
【図面の簡単な説明】
【０００６】
【図１】綿棒収納取り出し箱の前面から見た図
【図２】綿棒収納取り出し箱の後面から見た図
【図３】綿棒収納取り出し箱を透過して見た図
【図４】綿棒収納取り出し箱を透過して見た図
【図５】綿棒収納取り出し箱の側面の蓋を開けた図
【図６】綿棒収納取り出し箱の左右の取り出し口が、高さが綿棒が自然に出てこない高さの取り出し口の図
【発明を実施するための形態】
【０００７】
本発明を図１〜図５に従って説明すると、
図３のように、四角柱の箱型収納箱の中に、図３の10、図４の10のように斜め対角の仕切り板で内部を三角柱の前収納部、後収納部の２つに分けた構造の綿棒収納取り出し箱で、図３、図４のように各収納部に綿棒が収納されている。図１、図２のように、各収納部の三角柱の地面方向の端に取り出し口のある構造で、取り出し口は横に切り込みのあるストッパーが左右にあり中央のつまみ口より１本づつ綿棒の棒部分をつまんで取り出す。つまんで取り出すした空間には上部より重力で綿棒が自動的に下に下がってきて、次の綿棒を取り出せるようになる。前収納部の綿棒が空になった場合は、箱型収納箱を逆さまにして前収納部と同様に後収納部から綿棒を取り出す。
図５のように箱の側面を開けることでまとめて取り出すことや、補充することも可能となる。
【産業上の利用可能性】
【０００８】
一般的に販売されている丸型の箱よりも、本発明品に変えることで、収納力、衛生面、利便性が向上する。
【符号の説明】
【０００９】
1              綿棒収納取り出し箱の前面の前収納部
2              綿棒収納取り出し箱の前面の前収納部の綿棒の出口の位置
3              綿棒
4              綿棒収納取り出し箱の前面の、綿棒の出口兼、つまみ口
5              綿棒収納取り出し箱の前面の、綿棒の出口兼、横に切り込みの入ったストッパー
6              綿棒収納取り出し箱の後面の後収納部
7              綿棒収納取り出し箱の後面の後収納部の綿棒の出口の位置
8              綿棒収納取り出し箱の後面の、綿棒の出口兼、つまみ口
9              綿棒収納取り出し箱の後面の、綿棒の出口兼、横に切り込みの入ったストッパー
10            綿棒収納取り出し箱の前収納部
12            綿棒収納取り出し箱の後収納部
13            綿棒収納取り出し箱の側面の蓋
14            取り出し口の高さが綿棒が自然に出てこない高さの取り出し口
【図１】
2019055815.tif 000003
【図２】
2019055815.tif 000004
【図３】
2019055815.tif 000005
【図４】
2019055815.tif 000006
【図５】
2019055815.tif 000007
【図６】
2019055815.tif 000008
【手続補正書】
【提出日】平成30年2月3日(2018.2.3)
【手続補正１】
【補正対象書類名】特許請求の範囲
【補正対象項目名】全文
【補正方法】変更
【補正の内容】
【特許請求の範囲】
【請求項１】
四角柱の箱型容器の中に、斜め対角の仕切り板によって、内部を三角柱の前収納部、後収納部の２つに分けた構造の綿棒収納取り出し箱で、且つ、各収納部の綿棒取り出し口は三角柱の端の地面方向、又は三角柱の端の地面方向に追加してその上側に、つまみ口が共通で複数の取り出し口、又はつまみ口が個別の複数の取り出し口ある構造の綿棒収納取り出し箱。
【請求項２】
請求項１記載の綿棒収納取り出し箱の取り出し口左右の綿部分辺りは、フィルム等の素材で横のに切り込みのあるストッパーが付いた出口の構造か、又は綿部分が自然に出てこない高さの出口の構造になって、棒部分辺りの中央のつまみ口より１本づつ綿棒の棒をつまんで取り出す構造の綿棒収納取り出し箱。
【手続補正２】
【補正対象書類名】明細書
【補正対象項目名】全文
【補正方法】変更
【補正の内容】
【発明の詳細な説明】
【技術分野】
【０００１】
本発明は、綿棒の収納取り出し箱の形状、及び構造に関する。
【背景技術】
【０００２】
従来の、一般的に販売されている丸型の収納容器から１本の綿棒を取り出す際には、隣接する綿棒にも指が触れてしまう場合が多く、且つ蓋の開閉作業で両手を使わなくては取り出せないことが多い。又、蓋が開けっ放しになることも多く不衛生になるなどの課題が多い。
【発明の概要】
【発明が解決しようとする課題】
【０００３】
綿棒を取り出す場合、隣接する綿棒の綿部に指が触れないように、且つ蓋の開閉作業無しに片手で衛生的に最後の１本まで１本ずつ取り出せるようにする。
【課題を解決するための手段】
【０００４】
本発明は、四角柱の箱型収納箱の中に、斜め対角の仕切り板で内部を三角柱の前収納部、後収納部の２つに分けた構造の綿棒収納取り出し箱とし、各収納部の取り出し口は、三角柱の端の地面方向に最低１箇所以上ある構造で、取り出し口は綿棒が自然に出てこない構造で棒部分をつまんで取り出すため、隣接する綿棒の綿部に指が触れない。取り出し口の構造はフィルム等の素材で横に切り込みのあるストッパーが左右にあるか、又は綿部分が自然に出てこない高さの構造になっている。更に、つまんで取り出すと重力で綿棒が下に自動的に落ちてくるため、最後の１本まで片手で取り出すことができる。前収納部の綿棒が空になった場合は、収納箱を逆さまにして後収納部を前面にして、前収納部と同様に後収納部から綿棒を取り出す。
【発明の効果】
【０００５】
１．綿棒の棒部分を持って取り出すので隣接する綿棒の綿部分に指が触れず衛生的に保管できる。
２．蓋の開閉作業無しに完全に片手で取り出すことができ、蓋が開けっ放しになることが無くなる。
３．箱を落としたりした際に綿棒が飛び出すこともなくなる。
【図面の簡単な説明】
【０００６】
【図１】綿棒収納取り出し箱の前面から見た図
【図２】綿棒収納取り出し箱の後面から見た図
【図３】綿棒収納取り出し箱を透過して見た図
【図４】綿棒収納取り出し箱を側面から透過して見た図
【図５】綿棒収納取り出し箱の側面の蓋を開けた図
【図６】綿棒収納取り出し箱の取り出し口の左右の綿部分辺りの高さが、綿棒が自然に出てこない高さの取り出し口が三角柱の端の地面方向にある図
【図７】綿棒収納取り出し箱の取り出し口の左右の綿部分辺りの高さが、綿棒が自然に出てこない高さの取り出し口が、三角柱の端の地面方向に追加して、その上側にもつまみ口が共通で複数の取り出し口ある図
【図８】綿棒収納取り出し箱の取り出し口の左右の綿部分辺りの高さが、綿棒が自然に出てこない高さの取り出し口が、三角柱の端の地面方向に追加して、その上側にもつまみ口が個別で複数の取り出し口ある図
【発明を実施するための形態】
【０００７】
本発明を図１〜図8に従って説明すると、
図３のように、四角柱の箱型収納箱の中に、図３の10、図４の10のように斜め対角の仕切り板で内部を三角柱の前収納部、後収納部の２つに分けた構造の綿棒収納取り出し箱になっており、図３、図４のように各収納部に綿棒が収納されている。
図１、図２のように、各収納部の三角柱の地面方向の端に取り出し口のある構造か、又は図７のように地面方向に追加してその上側にもつまみ口が共通で複数の取り出し口がある構造で、図1の5、図2の9のように取り出し口がフィルム等の素材で横に切り込みのあるストッパーが左右にあるか、又は図6の12、図7の12のように綿部分が自然に出てこない高さの出口の構造になっており、図6の4、図7の4、図8の4のように中央のつまみ口より１本づつ綿棒の棒部分をつまんで取り出す。
つまんで取り出すと上部より重力で綿棒が自動的に下に下がってきて、最後の１本も一番下に落ち、片手で衛生的に取り出すことができる。前収納部の綿棒が空になった場合は、収納箱を逆さまにして後収納部を前面にして、前収納部と同様に後収納部から綿棒を取り出す。尚、図５のように箱の側面を開けることでまとめて取り出すことや、補充して再利用することも可能となる。
【産業上の利用可能性】
【０００８】
一般的に販売されている丸型の箱よりも、本発明品に変えることで、衛生面、利便性が向上する。
【符号の説明】
【０００９】
1         綿棒収納取り出し箱の前面の前収納部
2         綿棒収納取り出し箱の前面の前収納部の綿棒の出口の位置が三角柱の端の地面方向にある図
3         綿棒
4         綿棒収納取り出し箱の前面の、綿棒の棒部分のつまみ口兼、綿棒の出口
5         綿棒収納取り出し箱の前面の、綿棒の出口兼、横に切り込みの入ったストッパー
6         綿棒収納取り出し箱の後面の後収納部
7         綿棒収納取り出し箱の後面の後収納部の綿棒の出口の位置が三角柱の端の地面方向にある図
8         綿棒収納取り出し箱の後面の、綿棒の棒部分のつまみ口兼、綿棒の出口
9         綿棒収納取り出し箱の後面の、綿棒の出口兼、横に切り込みの入ったストッパー
10       綿棒収納取り出し箱の斜め対角の仕切り板
11       綿棒収納取り出し箱側面の蓋
12       取り出し口の高さが綿棒が自然に出てこない高さの取り出し口
13       フィルム等の素材で横のに切り込みのあるストッパー
【手続補正３】
【補正対象書類名】図面
【補正対象項目名】全図
【補正方法】変更
【補正の内容】
【図１】
2019055815.tif 000009
【図２】
2019055815.tif 000010
【図３】
2019055815.tif 000011
【図４】
2019055815.tif 000012
【図５】
2019055815.tif 000013
【図６】
2019055815.tif 000014
【図７】
2019055815.tif 000015
【図８】
2019055815.tif 000016
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
四角柱の箱型容器の中に、前記箱型容器の前面下端から後面上端に伸びる対角の仕切り板によって内部を三角柱の前収納部、後収納部の２つに分けた構造の綿棒収納取り出し箱で、且つ、前記前収納部、前記後収納部の綿棒取り出し口は、それぞれ綿棒を取り出す際に三角柱の端の地面方向となる、前記前収納部の前面下端側水平方向に開口したつまみ口、及び、前記後収納部の後面上端側水平方向に開口したつまみ口を備える構造の綿棒収納取り出し箱。
【請求項２】
請求項1記載の綿棒収納取り出し箱で、請求項1記載の水平方向に開口したつまみ口は、横に切り込みのあるストッパー付き出口、又は綿棒が自然に出てこない高さの出口が左右にあり、中央のつまみ口より１本づつ綿棒の棒をつまんで取り出す構造の綿棒収納取り出し箱。
【手続補正２】
【補正対象書類名】明細書
【補正対象項目名】全文
【補正方法】変更
【補正の内容】
【発明の詳細な説明】
【技術分野】
【０００１】
本発明は、綿棒の収納取り出し箱の形状、及び構造に関する。
【背景技術】
【０００２】
従来は、綿棒がまとめて入った収納容器から１本の綿棒を取り出す際には、隣接する綿棒にも指が触れてしまう場合が多い。
【発明の概要】
【発明が解決しようとする課題】
【０００３】
綿棒がまとめて入った収納容器から１本の綿棒を取り出す場合、隣接する綿棒の綿部に指が触れないように衛生的に１本づつ取り出せるようにする。
【課題を解決するための手段】
【０００４】
本発明は、四角柱の箱型収納箱の中に、前記箱型容器の前面下端から後面上端に伸びる対角の仕切り板によって内部を三角柱の前収納部、後収納部の２つに分けた構造の綿棒収納取り出し箱で、各収納部の取り出し口は三角柱の端の地面側水平方向に開口した構造で、取り出し口は横に切り込みのあるストッパーが左右にあり中央のつまみ口より１本づつ綿棒の棒部分をつまんで取り出すか、又は取り出し口の高さが綿棒が自然に出てこない高さの取り出し口からつまんで取り出す。つまんで取り出した空間には上部より重力で綿棒が自動的に下に下がってきて、次の綿棒を取り出せるようになる。前収納部の綿棒が空になった場合は、収納箱を逆さまにして前収納部と同様に後収納部から綿棒を取り出す。
【発明の効果】
【０００５】
綿棒の棒部分を持って取り出すので綿部を衛生的に保管できる。
また、例えば本発明品を両面テープ等で固定すれば、蓋を開け閉めする作業無しに完全に片手で取り出すことが可能となる。
また、蓋が開けっ放しになることも無くなる。
【図面の簡単な説明】
【０００６】
【図１】綿棒収納取り出し箱の前面から見た図
【図２】綿棒収納取り出し箱の後面から見た図
【図３】綿棒収納取り出し箱を透過して見た図
【図４】綿棒収納取り出し箱を透過して見た図
【図５】綿棒収納取り出し箱の側面の蓋を開けた図
【図６】綿棒収納取り出し箱の左右の取り出し口が、高さが綿棒が自然に出てこない高さの取り出し口の図
【発明を実施するための形態】
【０００７】
本発明を図１〜図６に従って説明すると、
図３のように、四角柱の箱型収納箱の中に、図３の10、図４の10のように斜め対角の仕切り板で内部を三角柱の前収納部、後収納部の２つに分けた構造の綿棒収納取り出し箱で、図３、図４のように各収納部に綿棒が収納されている。図１、図２のように、各収納部の三角柱の地面側水平方向に開口した取り出し口のある構造で、取り出し口は横に切り込みのあるストッパーが左右にあり中央のつまみ口、又は図６のように、綿棒が自然に出てこない高さの取り出し口より１本づつ綿棒の棒部分をつまんで取り出す。つまんで取り出した空間には上部より重力で綿棒が自動的に下に下がってきて、次の綿棒を取り出せるようになる。前収納部の綿棒が空になった場合は、箱型収納箱を逆さまにして前収納部と同様に後収納部から綿棒を取り出す。
図５のように箱の側面を開けることでまとめて取り出すことや、補充することも可能となる。
【産業上の利用可能性】
【０００８】
一般的に販売されている丸型の箱よりも、本発明品に変えることで、収納力、衛生面、利便性が向上する。
【符号の説明】
【０００９】
1           綿棒収納取り出し箱の前面の前収納部
2           綿棒収納取り出し箱から綿棒を取り出す際に、三角柱の端の地面方向となる、前収納部の前面下端側水平方向に開口したつまみ口の図
3           綿棒
4           綿棒収納取り出し箱の前面の、綿棒の棒部分のつまみ口兼、綿棒の出口
5           綿棒収納取り出し箱の前面の、綿棒の出口兼、横に切り込みの入ったストッパー
6           綿棒収納取り出し箱の後面の後収納部
7           綿棒収納取り出し箱から綿棒を取り出す際に、三角柱の端の地面方向となる、後収納部の後面上端側水平方向に開口したつまみ口の図
8           綿棒収納取り出し箱の後面の、綿棒の棒部分のつまみ口兼、綿棒の出口
9           綿棒収納取り出し箱の後面の、綿棒の出口兼、横に切り込みの入ったストッパー
10         綿棒収納取り出し箱の斜め対角の仕切り板
11         綿棒収納取り出し箱側面の蓋
12         取り出し口の高さが綿棒が自然に出てこない高さの取り出し口
13         横に切り込みのあるストッパー
【手続補正３】
【補正対象書類名】図面
【補正対象項目名】図７
【補正方法】削除
【補正の内容】
【手続補正４】
【補正対象書類名】図面
【補正対象項目名】図８
【補正方法】削除
【補正の内容】